(57)【要約】【課題】  本発明は長距離の野生動物進入防止用フェンスにおいて、人の出入口及びその開閉扉を簡便に形成し、かつ開閉扉による閉鎖及び開閉扉の何れか一端を中心とし、他端を前後に回動して人が出入し、出入後は容易に開閉扉を閉鎖することのできる菱形金網フェンスの出入口及びその開閉扉を得ることを目的とするものである。【解決手段】  菱形金網１によるフェンス２において、間隔Ｌを介在した平行立柱３，３と上記金網１とをそれぞれコイル４で巻込んで接続し、これらの立柱３，３間に菱形金網１による方形開閉扉４ａを配置し、該開閉扉４ａの上下端横方向張線５，５’を上記開閉扉４ａの両側縦線６，６の外側に延長し、該両延長端部に巻回部７を形成し、該巻回部７及び上記コイル４と立柱３との間隙部に上記開閉扉４ａの支持線８を緩挿し、該支持線の８上端部を下向に屈曲８’させてなる菱形金網によるフェンスにおける出入口開閉扉。【選択図】図１
2010031571.tif 000002
【特許請求の範囲】
【請求項１】
菱形金網によるフェンスにおいて、間隔を介在した平行立柱と上記金網とをそれぞれコイルで巻込んで接続し、これらの立柱間に形成した出入口に菱形金網による方形開閉扉を配置し、該開閉扉の上下端横方向張線を上記開閉扉の両側縦線の外側に延長し、該両延長端部に巻回部を形成し、該巻回部及び上記コイルと立柱との間隙部に上記開閉扉の支持線を緩挿し、該支持線の上端部を下向に屈曲させてなる菱形金網によるフェンスにおける出入口開閉扉。
【請求項２】
上記開閉扉の中程に横方向張線を設け、該張線を上記縦線の外側に延長し、該両延長端部に巻回部を形成し該巻回部に上記支持線を緩挿した請求項１記載の菱形金網によるフェンスにおける出入口開閉扉。
【請求項３】
上記下端横方向張線に、方形可動菱形金網の両側縦線の延長部を枢支してなる請求項１又は２記載の菱形金網によるフェンスにおける出入口開閉扉。
【発明の詳細な説明】
【技術分野】
【０００１】
本発明は森林と平地や山地と耕地との境界に設けられる菱形金網による野生動物進入防止用フェンスであって、該フェンスに設けられる人の出入口に設けられる開閉扉に関するものである。
【背景技術】
【０００２】
従来、野生動物用進入防止用菱形金網及びこの金網を用いた野性動物用進入防止柵や菱形金網用胴縁及び菱形金網フェンス、進入防止用フェンス並びに金網製フェンスが長距離に亘って設けられた。
【０００３】
しかし、上記フェンスを長距離に亘って上記境界に設立した場合に該フェンスには人の出入口及びその開閉扉を要し、該出入口及びその開閉扉を簡便に設け難い欠陥があった（例えば特許文献１、２、３）。
【０００４】
又上記開閉扉の取外による出入口の開放、開閉扉の回動による開閉及び固定閉鎖を容易に行うことは困難であった。
【０００５】
【特許文献１】特開平１０−１９３０２１
【特許文献２】特開２００４−９２３８８
【特許文献３】特開２０００−８６６０
【発明の開示】
【発明が解決しようとする課題】
【０００６】
本発明は長距離の上記野生動物進入防止用フェンスにおいて、人の出入口及びその開閉扉を簡便に形成し、かつ開閉扉による固定閉鎖及び開閉扉の何れか一端を中心軸とし、他端を前後に回動して人が出入し、出入後は容易に開閉扉を閉鎖固定することのできる菱形金網フェンスの出入口及びその開閉扉を得ることを目的とするものである。
【課題を解決するための手段】
【０００７】
上記の目的を達成するため本発明は
第１に菱形金網によるフェンスにおいて、間隔を介在した平行立柱と上記金網とをそれぞれコイルで巻込んで接続し、これらの立柱間に形成した出入口に菱形金網による方形開閉扉を配置し、該開閉扉の上下端横方向張線を上記開閉扉の両側縦線の外側に延長し、該両延長端部に巻回部を形成し、該巻回部及び上記コイルと立柱との間隙部に上記開閉扉の支持線を緩挿し、該支持線の上端部を下向に屈曲させてなる菱形金網によるフェンスにおける出入口開閉扉、
第２に上記開閉扉の中程に横方向張線を設け、該張線を上記縦線の外側に延長し、該両延長端部に巻回部を形成し該巻回部に上記支持線を緩挿した上記第１発明記載の菱形金網によるフェンスにおける出入口開閉扉、
第３に上記下端横方向張線に、方形可動菱形金網の両側縦線の延長部を枢支してなる上記第１又は第２発明記載の菱形金網によるフェンスにおける出入口開閉扉、
によって構成される。
【０００８】
従って、複数の隣接する縦向ジグザグ針線の屈曲部を互に交差させて上下端のナックル部を胴縁によって接続して菱形金網を形成し、一定間隔に立設した立柱に支持して長距離に亘る菱形金網フェンスを形成し、地面に立設する。
【０００９】
上記長距離金網フェンスには必要位置に人の出入口を形成する必要があり、予定位置の地面に出入口間隔を介して平行立柱を設立し、これらの立柱と上記金網フェンスとをコイルで巻込んで該フェンスと上記立柱とを接続し、立柱間のフェンスを立柱に沿って切断することによって上記立柱間に人の出入口を形成することができる。
【００１０】
上記出入口には上記金網による方形開閉扉を配置し、上記コイルと立柱との隙間と、該開閉扉の上下両端に突出（延長）した横向張線又は胴縁の先端に形成した巻回環とに上から下に向って支持線を緩挿して上記出入口を方形開閉扉で閉鎖することができる。
【００１１】
支持線の上端部を下向に屈曲することによって屈曲部を上記コイル上端及び上記巻回環の下方に垂下させることによって上記開閉扉を２個の立柱間の出入口に支持し、出入口を閉鎖することができ、かつ屈曲部によって支持線の上下端を定位置に支持する。
【００１２】
人が出入する場合は一方の立柱に沿う上記支持線を上昇させて上記コイル及び巻回環から分離し、他方の支持線を中心に開閉扉を前後に回動して出入口を開き出入可能とすることができる。
【００１３】
開扉の下端横方向張線に、枢支した方形可動菱形金網を水平方向に回動し、地面に裾部を形成し、地面に杭打ちにより固定して野生動物の地下掘さく進入を阻止する。
【発明の効果】
【００１４】
本発明は上述のように構成したので、菱形金網フェンスの必要個所にフェンス張設後容易に人の出入口を形成し得るばかりでなく、該出入口の対向立柱間に方形菱形金網ドアーを形成し、ドアーの閉鎖、回動開閉を対向左右立柱の左右いずれを中心にしても容易に行うことができる。
【００１５】
又上記金網ドアーの下端部に方形可動菱形金網を枢支し、地下進入動物を防止し得るばかりでなく、上記金網ドアーの下縁の若干上方に枢支して上記方形可動菱形金網を外側に傾斜させて、動物の飛上りスペースを無くし、動物の飛上り進入を防止することができる。
【発明を実施するための最良の形態】
【００１６】
隣接ジクザク縦線条１’，１’の屈曲部を交差させてなる菱形金網１を、山地と平地との間又は森や林と耕地等の間に野生動物進入防止用フェンス２として長距離に亘って立設する。
【００１７】
上記フェンス２には人の出入口を設けるため地面９に２個の平行立柱３，３を上記フェンス２に接して水平間隔Ｌを介して平行に立設し、該フェンス２の網目と該立柱３，３とをそれぞれ線条コイル４で巻込んで接続し、立柱３，３間の間隔Ｌ部のフェンスを切取って人や資材の出入口を形成することができる（図５（ハ）図）。
【００１８】
上記立柱３，３間の切取り菱形金網の上下端のナックル部１”に横向張線５，５’を挿通し、かつ該張線５，５’を２個の縦線６，６で接続して方形の菱形金網１を切取形成することができる。
【００１９】
又上記方形菱形金網１の中程には菱形の目を横方向に挿通して中程張線５”を支持し、これらの上中下の横方向張線５，５’，５”の両端を上記縦線６，６の外側に若干延長し、該両延長端部にそれぞれ巻回部７，７を形成し、かつ両側の上記巻回部７，７間の長さを上記立柱３，３のほぼ対向面間の長さＬとすることができる。
【００２０】
このようにした上中下の両巻回部７，７を立柱３，３に接し、上記コイル４と立柱３との間隙部と、上中下の巻回部７，７，７とに上から地面９に向って支持線８を緩挿することによって上記方形菱形金網１を立柱３，３間に支持し、立柱３，３間を閉鎖することができる（図１にその状態を示す）。
【００２１】
上記緩挿支持線８，８の上端部は上記コイル４の上端部及び上部巻回部７の外側に上端横方向張線５の下まで下向に屈曲８’して該支持線８，８の下降摺動による上部巻回部７との分離を防止し、下端を上記コイル４の下端部と立柱３の下側部との間の間隙及び下端横方向張線５’に設けた上記巻回部７を緩挿して地面９中に埋設支持する。又上記屈曲８’部は上記支持線８を抜取る際の手掛りとする。
【００２２】
又上記下端横方向張線５’には、長方形可動菱形金網１ａの両側縦線６ａ，６ａの基端側延長部を巻回して枢支し、６ａ’，６ａ’し、上記張線５’を中心に上記長方形金網１ａを昇降回動可能となし、該金網１ａを地面９に接して杭打固定する。
【００２３】
又上記長方形金網１ａの両側縦線６ａ，６ａの基端側延長部巻回枢支部６ａ’，６ａ’を、上記開閉扉４ａの下端張線５’の若干上方に支持した横方向張線５ａに枢支し、図３に示すように上記長方形金網１ａを傾斜させ、これにより野生動物の飛び上がりによるフェンス２内進入を阻止することができる。
【００２４】
尚図１中１０で示すものは立柱３の上下端に設けた胴縁固定金具、３’は立柱３の埋設部である。
【産業上の利用可能性】
【００２５】
本発明は上述のように構成することによって野生動物進入防止用長距離菱形金網フェンス２に人の出入口及びその開閉扉４ａを上記フェンス２の設立後、必要位置に簡便に設けることができる
【００２６】
又上記支持線８は上端部を下向に屈曲８’させてあるため上記開閉扉４ａと立柱３及びこれに巻回したコイル４との分離を防止し、比較的強固に上記開閉扉４ａを立柱３，３間に支持することができる。
【図面の簡単な説明】
【００２７】
【図１】本発明の出入口開閉扉の正面図である。
【図２】図２の一部平面図である。
【図３】図２の他の実施例の側面図である。
【図４】方形可動菱形金網を仮想線で示す正面図である。
【図５】（イ）図は方形開閉扉の正面図、（ロ）図は可動菱形金網の正面図、（ハ）図は立柱、フェンス及びコイルの正面図、（ニ）図は上記開閉扉の支持線の正面図である。
【符号の説明】
【００２８】
１        菱形金網
２        フェンス
２’      対向縁
３        平行立柱
４ａ      方形開閉扉
５，５’  上下端横方向張線
６        縦線
７        巻回部
８        支持線
８’      屈曲部
【図１】
2010031571.tif 000003
【図２】
2010031571.tif 000004
【図３】
2010031571.tif 000005
【図４】
2010031571.tif 000006
【図５】
2010031571.tif 000007